(57)【要約】【課題】  燃料コンパクトの製造装置を全体的に小型化することができ、また各製造工程を１台の装置で行うことができて工程を簡易化することができること。【解決手段】  燃料コンパクトを成型するプレス金型２０内にオーバーコート粒子ＯＰを投入する粒子投入ユニット３０と、プレス金型２０に潤滑剤を塗布する潤滑剤塗布ユニット４０と、プレス金型２０内で成型された燃料コンパクトをプレス金型２０から取り出すコンパクト取出ユニット５０とを一体化して配置し、これらのユニット３０、４０、５０を順次プレス金型２０に対応するように搬送して、プレス金型２０に潤滑剤を塗布する工程と、オーバーコート粒子ＯＰを投入する工程と、プレス金型２０から成型済みの燃料コンパクトを取り出す工程とを順次行うことができるようにする。【選択図】        図１
2008008755.tif 000002
【特許請求の範囲】
【請求項１】
燃料コンパクトを成型するプレス金型を備えた高温ガス炉用燃料コンパクトの製造装置であって、前記プレス金型の内部にオーバーコート粒子を投入する粒子投入ユニットと、前記プレス金型に潤滑剤を塗布する潤滑剤塗布ユニットと、前記プレス金型内で成型された燃料コンパクトを前記プレス金型から取り出すコンパクト取出ユニットとを一体化して配置し、前記粒子投入ユニット、潤滑剤塗布ユニット及び前記コンパクト取出ユニットを順次プレス金型に対応するように所定の順序で搬送する搬送手段を具備していることを特徴とする高温ガス炉用燃料コンパクトの製造装置。
【請求項２】
請求項１に記載の高温ガス炉用燃料コンパクトの製造装置であって、前記粒子投入ユニットは、前記オーバーコート粒子が充填される粒子容器と、前記オーバーコート粒子を前記プレス金型内に投入する粒子投入口と、前記粒子投入口を開閉するシャッターとから成っていることを特徴とする高温ガス炉用燃料コンパクトの製造装置。
【請求項３】
請求項１又は２に記載の高温ガス炉用燃料コンパクトの製造装置であって、前記潤滑剤塗布ユニットは、前記潤滑剤が充填される潤滑剤容器と、前記潤滑剤を前記プレス金型に塗布するノズルと、前記潤滑剤容器から前記ノズルに前記潤滑剤を供給する配管とから成っていることを特徴とする高温ガス炉用燃料コンパクトの製造装置。
【請求項４】
請求項１乃至３のいずれかに記載の高温ガス炉用燃料コンパクトの製造装置であって、 前記コンパクト取出ユニットは、前記プレス金型内の燃料コンパクトを径方向又は軸方向から挟み込むチャックから成っていることを特徴とする高温ガス炉用燃料コンパクトの製造装置。
【請求項５】
請求項１乃至４のいずれかに記載の高温ガス炉用燃料コンパクトの製造装置であって、 前記搬送手段は、前記粒子投入ユニットの粒子投入口と、前記潤滑剤塗布ユニットのノズルと、前記コンパクト取出ユニットのチャックとの中心が同一円上を回転する回転軸を有していることを特徴とする高温ガス炉用燃料コンパクトの製造装置。
【発明の詳細な説明】
【技術分野】
【０００１】
本発明は、高温ガス炉用燃料コンパクトを製造する装置に関し、特に、装置全体をコンパクト化し、製造工程を簡易化するのに適合した高温ガス炉用燃料コンパクトの製造装置に関するものである。
【背景技術】
【０００２】
高温ガス炉は、燃料を含む炉心構造を熱容量が大きく高温で健全性を維持する黒鉛で構成し、炉心を冷却するために、高温下でも化学反応が起こることがないヘリウムガスを冷却ガスとして用いているので、固有の安全性が高く、約９００℃の高い出口温度のヘリウムガスを回収して、この高温熱を発電、水素製造、化学プラント等の広い分野で利用することができる。
【０００３】
この高温ガス炉の燃料は、二酸化ウランをセラミック状に焼結した直径が約３５０−６５０ミクロンの燃料核の周囲に炭素又は炭化珪素等のセラミックス層を被覆して形成された被覆燃料粒子を基本構造としている。
【０００４】
高温ガス炉に一般的に用いられる被覆燃料粒子は、４層の被覆層を有している。第一層は、密度が約１ｇ／ｃｍ３の低密度熱分解炭素の被覆であり、これは、ガス状の核分裂生成物（ＦＰ）のガス溜めとしての機能と燃料核のスウェリングを吸収するバッファとしての機能とを併せ持っている。第二層は、密度が約１．８ｇ／ｃｍ３の高密度熱分解炭素の被覆であり、これは、ガス状ＦＰの保持機能を有する。第三層は、密度が約３．２ｇ／ｃｍ３の炭化珪素（ＳｉＣ）の被覆であり、これは、固体ＦＰの保持機能を有すると共に、被覆の主要な補強部材としての機能を有する。最後に、第四層は、第二層と同様に、密度が約１．８ｇ／ｃｍ３の高密度熱分解炭素の被覆であり、これは、ガス状ＦＰの保持機能と第三層の保護層としての機能を有する。
【０００５】
一般的な被覆燃料粒子は、約５００−１０００μｍの直径を有する。この被覆燃料粒子は、黒鉛マトリックス中に分散させた後、一定形状の燃料コンパクトの形態に成型加工され、この燃料コンパクトの一定数量を黒鉛筒に入れ、上下を栓で閉じて燃料棒とされる。この燃料棒は、六角柱型黒鉛ブロックの複数の挿入口に差し込まれて高温ガス炉の燃料となる。多数個の六角柱型黒鉛ブロックをハニカム配列に多段に重ねて炉心を構成している。
【０００６】
高温ガス炉の燃料は、一般的には、次のようにして製造される。まず、酸化ウラン粉末を硝酸に溶かして硝酸ウラニル原液とし、この硝酸ウラニル原液に純水、添加剤を添加し攪拌して滴下原液を作る。添加剤は、滴下された硝酸ウラニル原液の液滴が落下中にそれ自体の表面張力で真球状になるようにするために添加される。このような添加剤としては、アルカリ条件下で凝固する性質を有する樹脂、例えば、ポリビニールアルコール樹脂、ポリエチレングリコール、メトローズ等を使用することができる。このように調製された滴下原液は、所定の温度に冷却されて粘度が調整された後、細径の滴下ノズルを振動させる等の方法を用いてアンモニア水中に滴下される。
【０００７】
液滴は、アンモニア水溶液表面に着水するまでの空間でアンモニアガスを吹き付けて表面をゲル化させることによって着水時の変形が防止される。硝酸ウラニルは、アンモニア水中でアンモニアと充分に反応させ、重ウラン酸アンモニウムの粒子となる。この粒子は、大気中で焙焼され三酸化ウラン粒子となり、更に還元焼結されて高密度のセラミック二酸化ウランの燃料核となる。
【０００８】
この燃料核は、流動床に装荷され、この流動床内に供給される反応ガス（被覆ガス）が熱分解されて燃料核の上に被覆が施される。第一層の低密度熱分解炭素は、約１４００℃でアセチレン（Ｃ２Ｈ２）を熱分解して被覆される。第二層及び第四層の高密度熱分解炭素は、約１４００℃でプロピレン（Ｃ３Ｈ６）を熱分解して被覆される。第三層のＳｉＣは、約１６００℃でメチルトリクロロシラン（ＣＨ３ＳｉＣｌ３）を熱分解して被覆される。このように４層の被覆が施されて被覆燃料粒子が得られる。
【０００９】
一般的な燃料コンパクトは、被覆燃料粒子に黒鉛粉末、粘結剤等からなる黒鉛マトリックス材をコーティングしてオーバーコート粒子にした後、このオーバーコート粒子を温間プレスして中空円筒形または円筒形にプレス金型で成型し、この成型品を焼成することにより得られる。
【００１０】
従来技術の燃料コンパクトの製造においては、オーバーコート粒子をプレス金型にセットするための粒子投入装置と、プレス金型に潤滑剤を塗布する潤滑剤塗布装置と、温間プレスされた燃料コンパクトをプレス金型から取り出す燃料コンパクト取出装置とがそれぞれ別々に備えられており、燃料コンパクト製造装置が全体的に大型化すると共に燃料コンパクト製造装置が複雑化する欠点があった。
【発明の開示】
【発明が解決しようとする課題】
【００１１】
本発明が解決しようとする課題は、燃料コンパクトを製造する装置を全体的に小型化することができ、また各製造工程を１台の装置で行うことができて工程を簡易化することができる高温ガス炉用燃料コンパクトの製造装置を提供することにある。
【課題を解決するための手段】
【００１２】
本発明の基本的な課題解決手段は、燃料コンパクトを成型するプレス金型を備えた高温ガス炉用燃料コンパクトの製造装置であって、このプレス金型の内部にオーバーコート粒子を投入する粒子投入ユニットと、プレス金型に潤滑剤を塗布する潤滑剤塗布ユニットと、プレス金型内で成型された燃料コンパクトをプレス金型から取り出すコンパクト取出ユニットとを一体化して配置し、これらのユニットを順次プレス金型に対応するように搬送する搬送手段を具備していることを特徴とする高温ガス炉用燃料コンパクトの製造装置を提供することにある。
【００１３】
本発明の基本的な課題解決手段において、粒子投入ユニット、潤滑剤塗布ユニット及びコンパクト取出ユニットは、次のような形態とすることができる。
【００１４】
即ち、粒子投入ユニットは、オーバーコート粒子が充填される粒子容器と、オーバーコート粒子をプレス金型内に投入する粒子投入口と、粒子投入口を開閉するシャッターとから成っている形態とすることができる。
【００１５】
また、潤滑剤塗布ユニットは、潤滑剤が充填される潤滑剤容器と、潤滑剤をプレス金型に塗布するノズルと、潤滑剤容器からノズルに潤滑剤を供給する配管とから成っている形態とすることができる。
【００１６】
コンパクト取出ユニットは、プレス金型内の燃料コンパクトを径方向又は軸方向から挟み込むチャックから成っている形態とすることができる。
【００１７】
搬送手段は、粒子投入ユニットの粒子投入口と、潤滑剤塗布ユニットのノズルと、コンパクト取出ユニットのチャックとの中心が同一円上を回転する回転軸を有し、これらの粒子投入口、ノズル及びチャックが回転軸の回転によってプレス金型に順次整列して作業することができるようにするのが望ましい。
【発明の効果】
【００１８】
このように、プレス金型にオーバーコート粒子を投入する粒子投入ユニットと、プレス金型に潤滑剤を塗布する潤滑剤塗布ユニットと、プレス金型内で成型された燃料コンパクトをプレス金型から取り出すコンパクト取出ユニットとをプレス金型の上方に一体化して配置し、これらのユニットを順次プレス金型に対応するように搬送するので、装置を一纏めにして全体的に小型化することができ、また各製造工程を簡易化することができる。
【発明を実施するための最良の形態】
【００１９】
本発明の実施の形態を図面を参照して詳細に述べると、図１及び図２は、本発明に係わる高温ガス炉用燃料コンパクトの製造装置１０を示す。図１から解るように、この製造装置１０は、燃料コンパクトを成型する任意の形態の温間プレス金型２０と、このプレス金型２０にオーバーコート粒子ＯＰを投入する粒子投入ユニット３０と、プレス金型２０に潤滑剤を塗布する潤滑剤塗布ユニット４０と、プレス金型２０内で成型された燃料コンパクトをプレス金型２０から取り出すコンパクト取出ユニット５０と、これらのユニット３０、４０及び５０を順次プレス金型２０に対応するように搬送する搬送手段６０とを備えている。
【００２０】
プレス金型２０は、図示の形態では、コアロッド２２を有する円筒形の金型本体２４と、上下のパンチ２６（上パンチは図示せず）から成っているが、有底の金型本体を有して下パンチを有しない形態のものであってもよい。上パンチは、粒子投入ユニット３０の上方に位置していて、粒子投入後、粒子投入ユニット３０をプレス金型２０の整列から外すことによって、粒子投入ユニット３０に干渉することなく、プレス作業することができるようになっている。
【００２１】
図示の形態では、搬送手段６０は、図示しない基台に回転自在に支持された回転軸６２と、この回転軸から水平方向に延びる３つのアーム６４、６６、６８とから成り、粒子投入ユニット３０、潤滑剤塗布ユニット４０及びコンパクト取出ユニット５０は、それぞれ、これらのアーム６４、６６、６８の先端に支持されている。この場合、各ユニット６４、６６、６８の中心軸線が回転軸６２の回転軸線から同じ水平放射位置のところにあって、回転軸６２が所定角度回転すると、各ユニット６４、６６、６８の中心軸線がプレス金型２０の中心軸線に整列するようになっている。
【００２２】
粒子投入ユニット３０は、図１及び図２から解るように、オーバーコート粒子ＯＰが充填されるホッパー状の粒子容器３２と、オーバーコート粒子ＯＰをプレス金型２０内に投入する粒子投入口３４と、粒子投入口３４を開閉するシャッター３６とから成っている。粒子投入口３４がプレス金型２０に整列した状態で、シャッター３６が開くと、粒子容器３２内のオーバーコート粒子ＯＰは、プレス金型２０の型窪内に充填される。
【００２３】
潤滑剤塗布ユニット４０は、潤滑剤が充填される潤滑剤容器（図示せず）と、潤滑剤をプレス金型２０に塗布する一般に市販されているオリフィスノズルの如きノズル４２と、潤滑剤容器からノズル４２に潤滑剤を供給するナイロンチューブの如き配管４４とから成っている。
【００２４】
潤滑剤容器は、床上に設置されており、配管４４は、アーム６６に平行に延びて回転軸６２内に入って下降し、回転軸６２の回転に干渉しないようにして床上の潤滑剤容器に連結されている。潤滑剤を潤滑剤容器からノズル４２に供給するために、空気、不活性ガス等の圧縮気体の如き気体の圧力を利用したり、ポンプを利用したりすることができる。
【００２５】
コンパクト取出ユニット５０は、図２に示すように、プレス金型２０内の燃料コンパクトを径方向又は軸方向から挟み込むチャック５２から成っており、このチャック５２によってプレス金型２０から取り出された燃料コンパクトは、図示しないトレー上に移して次の工程に搬送することができる。
【００２６】
回転軸６２の回転軸線から同じ水平放射位置のところにあるユニット６４、６６、６８の中心軸線は、粒子投入ユニット３０の粒子投入口３４、潤滑剤塗布ユニット４０のノズル４２、コンパクト取出ユニット５０のチャック５２の中心であるので、これらの粒子投入口３４、ノズル４２、チャック５２の中心が回転軸６２の回転軸線を中心とする同一円上を回転することになる。
【００２７】
なお、図示していないが、粒子投入ユニット３０のシャッター３６の開閉、潤滑剤塗布ユニット４０の潤滑剤の供給及びチャック５２の開閉操作は、電気制御系統によって所定の順序で行われるが、その詳細な説明は省略する。
【実施例】
【００２８】
次に、本発明の製造装置の具体的実施例とその操作を以下に述べる。
粒子投入ユニット３０の粒子容器３２は、例えば、余裕を見込んでオーバーコート粒子約１００ｇを容易に充填することができるように１００ ｍＬの容積を有し、また粒子投入口３４の外径は、温間プレス金型の外径より小さくなるように、２０ ｍｍとした。この粒子投入ユニット３０によってオーバーコート粒子ＯＰをプレス金型２０に投入してから燃料コンパクトを取り出すまでの工程を述べると、次の通りである。
【００２９】
オーバーコート粒子４５ｇを粒子投入ユニット３０の粒子容器３２に入れ、粒子投入ユニット３０、潤滑剤塗布ユニット４０及びコンパクト取出ユニット５０の中心が温間プレス金型２０の中心に整列するように配置した。
【００３０】
この状態で、まず、潤滑剤塗布ユニット４０のノズル４２が温問プレス金型２０上になるように回転軸６２を回転し、温間プレス金型２０に潤滑剤を不活性ガスの圧力を利用して塗布した。次に、粒子投入ユニット３０の粒子投入口３４が温間プレス金型２０上になるように回転軸６２を回転し、粒子投入ユニット３０のシャッター３６を開き、温間プレス金型２０内にオーバーコート粒子ＯＰの全量を投入した。
【００３１】
その後、オーバーコート粒子ＯＰを温問プレスし、燃料コンパクトを成型した後、コンパクト取出ユニット５０のチャック５２の中心が温問プレス金型２０上になるように回転軸６２を回転し、このチャック５２によってプレス金型２０から燃料コンパクトを取り出した。
【００３２】
このように、回転軸６２の往復回転によって、潤滑剤塗布ユニット４０、粒子投入ユニット３０及びコンパクト取出ユニット５０を順次プレス金型２０に整列させて簡単な工程で燃料コンパクトを製造することができた。
【００３３】
なお、上記実施例では、各ユニットを回転軸６２を中心に往復回転運動してプレス金型２０に整列させたが、同じフレーム上に粒子投入ユニット３０とその前後に潤滑剤塗布ユニット４０、コンパクト取出ユニットとを搭載してフレームを前後運動させてもよく、３つのユニット３０、４０、５０の配置、移動は、任意に選択することができる。
【産業上の利用可能性】
【００３４】
本発明によれば、プレス金型の上方に、オーバーコート粒子を投入する粒子投入ユニットと、プレス金型に潤滑剤を塗布する潤滑剤塗布ユニットと、プレス金型内で成型された燃料コンパクトをプレス金型から取り出すコンパクト取出ユニットとを一体的にして配置し、これらのユニットを順次プレス金型に対応するように搬送するので、装置を一纏めにして全体的に小型化することができ、また単に各ユニットを交互にプレス金型に整列するように搬送するだけでよいので、工程を簡易化することができ、高温ガス炉用の燃料コンパクトの製造に有益に利用することができる。
【図面の簡単な説明】
【００３５】
【図１】本発明の燃料コンパクトの製造装置の一部を断面で示す正面図である。
【図２】図１の装置の上面図である。
【符号の説明】
【００３６】
ＯＰ  オーバーコート粒子
１０  燃料コンパクトの製造装置
２０  プレス金型
２２  コアロッド
２４  金型本体
２６  上下のパンチ
３０  粒子投入ユニット
３２  粒子容器
３４  粒子投入口
３６  シャッター
４０  潤滑剤塗布ユニット
４２  ノズル
４４  配管
５０  コンパクト取出ユニット
５２  チャック
６０  搬送手段
６２  回転軸
６４、６６、６８  ３つのアーム
【図１】
2008008755.tif 000003
【図２】
2008008755.tif 000004